(57)【特許請求の範囲】
【請求項１】
樹脂製のモールドキャップがケースに係合されて外装を成す容器と、
上記容器の一側に上記モールドキャップの盛り上がり部を貫通して設けられ、バッテリーと電気的に接続される第１の固定接点と、
上記容器の一側に上記モールドキャップの上記盛り上がり部を貫通して設けられ、外部のモータ部と電気的に接続される第２の固定接点と、
上記容器内に移動可能に配設され、上記第１の固定接点と上記第２の固定接点に接合し両者を電気的に接続する接合位置と、上記第１および第２の固定接点から離れた離間位置との間を移動する可動接点部と、
上記容器内に配設され、励磁された時に上記可動接点部を接合位置側に付勢するコイルと、
上記容器と上記可動接点部との間に縮設され、上記可動接点部を離間位置側に付勢する弾性体と、
上記容器の外周に設けられ、上記第２の固定接点と上記コイルの該容器の外周に延出された接続端子とを電気的に接続し、始動スイッチにより開閉される上記コイルの励磁回路の一部を構成するコネクタを有し、
上記コネクタは、上記容器の外方に突出する冷却フィンを備え、該冷却フィンが上記第２の固定接点の上記モールドキャップから延出する外部突出部の基部より外方に突出しないように上記モールドキャップの上記盛り上がり部の周囲に設けられていることを特徴とするスタータ用マグネットスイッチ。
【請求項２】
上記コネクタと冷却フィンは一体に成型されて作製されていることを特徴とする請求項１記載のスタータ用マグネットスイッチ。
【請求項３】
上記コネクタおよび冷却フィンはアルミニウム合金で作製されていることを特徴とする請求項１または２に記載のスタータ用マグネットスイッチ。
【発明の詳細な説明】
【０００１】
【発明の属する技術分野】
この発明はスタータ用マグネットスイッチに関し、特に内燃機関始動用スタータに好適な耐熱性に優れたスタータ用マグネットスイッチに関するものである。
【０００２】
【従来の技術】
図５は従来のスタータ用マグネットスイッチの一部を断面とする正面図である。また図６は上面図、図７は固定接点付近の側面図である。図５乃至図７において、１はケース、２はこのケースに係合される樹脂製のモールドキャップである。ケース１とモールドキャップ２は、スタータ用マグネットスイッチの外装を成す容器を構成している。
【０００３】
３はモールドキャップ２を貫通して設けられ、外部のバッテリーと電気的に接続される第１の固定接点、４はモールドキャップ２を貫通して設けられ、外部のモータ部と電気的に接続される第２の固定接点、５はケース１内に配設され、中心部が中空にされ、後述する吸引コイルおよび保持コイルと磁気回路を形成するコア、６はコア５の中空部に摺動可能に支持された棒状のロッド６ａと、ロッド６ａの先端に設けられた導電体の可動接点６ｂとからなる可動接点部であり、図５の左方向に移動した位置であって、第１の固定接点３と第２の固定接点４に接合し、両者を電気的に接続する接合位置と、図５の右方向に移動した位置であって、第１の固定接点３および第２の固定接点４から離れる離間位置との間を移動する。
【０００４】
１５はモールドキャップ２と可動接点部６との間に縮設された弾性体である戻しばねである。また、１６は可動接点部６とコア５との間に縮設された弾性体である押しばねである。戻しばね１５と押しばね１６は、可動接点部６を離間位置に保持している。７は鉄板を折り曲げて作製され第２の固定接点４と後述する吸引コイルの接続端子とを電気的に接続するコネクタ、８はコネクタ７と図示しない吸引コイルの接続端子とを接続し固定する半田である。
【０００５】
図８は従来のスタータ用マグネットスイッチの周辺の電気回路図である。図８において、９はコア５と磁気回路を形成する吸引コイル、１０は同じくコア５と磁気回路を形成する保持コイルである。吸引コイル９および保持コイル１０は励磁されたとき、可動接点部６を戻しばね１５の復元力に打ち勝って接合位置側に付勢する。１１は第１の固定接点３と電気的に接続されたバッテリー、１２は第２の固定接点４と電気的に接続されたモータ部である。１３は一側をバッテリー１１に他側を吸引コイル９および保持コイル１０に電気的に接続され、吸引コイル９および保持コイル１０の励磁回路を開閉する始動スイッチである。吸引コイル９はコネクタ７によって第２の固定接点４と電気的に接続されている。
【０００６】
次に動作について説明する。始動スイッチ１３が閉成すると、吸引コイル９と保持コイル１０が励磁され、可動接点部６を接合位置に移動させる。第１の固定接点３と第２の固定接点４が可動接点部６により電気的に接続されると、モータ部１２の駆動回路が形成され、バッテリー１１からの電力がモータ部１２に供給されモータ部１２が始動する。モータ部１２の駆動回路が形成されると、吸引コイル９の付勢力は無くなるが、可動接点部６は引き続き保持コイル１０が発生する磁力によって接合位置に保持される。
【０００７】
【発明が解決しようとする課題】
上記のような従来のスタータ用マグネットスイッチにおいては、モータ部１２の始動時、第１の固定接点３と第２の固定接点４には、大電流が流れる。そのため、第１の固定接点３と第２の固定接点４は、この通電により発熱する。そして、第１の固定接点３においては、バッテリー１１との間に接続されたケーブルによりこの熱が放熱されるが、第２の固定接点４においては、放熱されるどころか、モータ部１２からの受熱とケーブル自身の発熱によりさらに温度が上昇する。
【０００８】
この温度上昇のために、第２の固定接点４の周囲のモールドキャップ２が変形し、第２の固定接点４とモールドキャップ２の間に間隙が生じるといった問題があった。
【０００９】
この発明は上記のような問題を解消するためになされたもので、部品点数を増やすことなく、第２の固定接点を冷却し、モールドキャップの熱による変形を抑制することができるスタータ用マグネットスイッチを得ることが目的である。
【００１０】
【課題を解決するための手段】
請求項１のスタータ用マグネットスイッチにおいては、樹脂製のモールドキャップがケースに係合されて外装を成す容器と、容器の一側にモールドキャップの盛り上がり部を貫通して設けられ、バッテリーと電気的に接続される第１の固定接点と、容器の一側にモールドキャップの上記盛り上がり部を貫通して設けられ、外部のモータ部と電気的に接続される第２の固定接点と、容器内に移動可能に配設され、第１の固定接点と第２の固定接点に接合し両者を電気的に接続する接合位置と、第１および第２の固定接点から離れた離間位置との間を移動する可動接点部と、容器内に配設され、励磁された時に可動接点部を接合位置側に付勢するコイルと、容器と可動接点部との間に縮設され、可動接点部を離間位置側に付勢する弾性体と、容器の外周に設けられ、第２の固定接点とコイルの容器の外周に延出された接続端子とを電気的に接続し、始動スイッチにより開閉されるコイルの励磁回路の一部を構成するコネクタを有し、コネクタは、容器の外方に突出する冷却フィンを備え、該冷却フィンが上記第２の固定接点の上記モールドキャップから延出する外部突出部の基部より外方に突出しないようにモールドキャップの上記盛り上がり部の周囲に設けられている。
【００１１】
請求項２のスタータ用マグネットスイッチにおいては、コネクタと冷却フィンは一体に成型されて作製されている。
【００１２】
請求項３のスタータ用マグネットスイッチにおいては、コネクタおよび冷却フィンはアルミニウム合金で作製されている。
【００１４】
【発明の実施の形態】
実施の形態１．
図１は本発明のスタータ用マグネットスイッチの一部を断面とする正面図である。また図２は上面図、図３は固定接点付近の側面図である。図１乃至図３において、１はケース、２はこのケースに係合される樹脂製のモールドキャップである。ケース１とモールドキャップ２は、スタータ用マグネットスイッチの外装を成す容器を構成している。
【００１５】
３はモールドキャップ２を貫通して設けられ、外部のバッテリーと電気的に接続される第１の固定接点である。第１の固定接点３の外部突出部３ａにはねじが螺刻され、また外部突出部３ａの基部は、座金３ｂによって固定されている。４はモールドキャップ２を貫通して設けられ、外部のモータ部と電気的に接続される第２の固定接点である。第２の固定接点４の外部突出部４ａにはねじが螺刻され、また外部突出部４ａの基部は、座金４ｂによって固定されている。モールドキャップ２の第１の固定接点３と第２の固定接点４が設けられた部分は、盛り上がって成型されている。
【００１６】
５はケース１内に配設され、中心部が中空にされ、図示しない吸引コイルおよび保持コイルと磁気回路を形成するコア、６はコア５の中空部に摺動可能に支持された棒状のロッド６ａと、ロッド６ａの先端に設けられた導電体の可動接点６ｂとからなる可動接点部であり、図１の左方向に移動した位置であって、第１の固定接点３と第２の固定接点４に接合し、両者を電気的に接続する接合位置と、図１の右方向に移動した位置であって、第１の固定接点３および第２の固定接点４から離れる離間位置との間を移動する。尚、図示しない吸引コイルの一方の接続端子は、モールドキャップ２の表面の所定の位置に延出されている。１５はモールドキャップ２と可動接点部６との間に縮設された弾性体である戻しばねである。また、１６は可動接点部６とコア５との間に縮設された弾性体である押しばねである。戻しばね１５と押しばね１６は、可動接点部６を離間位置に保持している。
【００１７】
１０７は熱伝導性に優れたアルミニウム合金で一体に成型され、第２の固定接点４と吸引コイルの接続端子とを電気的に接続するコネクタである。コネクタ１０７は、平板が階段状に折り曲げられた様な形状をなし、第２の固定接点４の座金４ｂの裏面とモールドキャップ２との間に挟まれた上段１０７ａと、上段１０７ａより一段下がって形成された中段１０７ｂと、中段１０７ｂから上段１０７ａと概略直角となすように延びて設けられ、中段１０７ｂより更に一段下がって形成され、図示しない吸引コイルの接続端子と半田８によって接続される下段１０７ｃを有し、さらに中段１０７ｂの主面には、全面にわたって図３の上方向に突設された襞状の冷却フィン１０７ｄが形成されている。冷却フィン１０７ｄの先端は、固定接点４の座金４ｂより外方に突出していない。
【００１８】
図４はスタータ用マグネットスイッチの周辺の電気回路図である。図４において、９はコア５と磁気回路を形成する吸引コイル、１０は同じくコア５と磁気回路を形成する保持コイルである。吸引コイル９および保持コイル１０は励磁されたとき、可動接点部６を戻しばね１５の復元力に打ち勝って接合位置側に付勢する。１１は第１の固定接点３と電気的に接続されたバッテリー、１２は第２の固定接点４と電気的に接続されたモータ部である。１３は一側をバッテリー１１に他側を吸引コイル９および保持コイル１０に電気的に接続され、吸引コイル９および保持コイル１０の励磁回路を開閉する始動スイッチである。吸引コイル９はコネクタ１０７によって第２の固定接点４と電気的に接続されている。
【００１９】
次に動作について説明する。始動スイッチ１３が閉成すると、吸引コイル９と保持コイル１０が励磁され、可動接点部６を接合位置に移動させる。第１の固定接点３と第２の固定接点４が可動接点部６により電気的に接続されると、モータ部１２の駆動回路が形成され、バッテリー１１からの電力がモータ部１２に供給されモータ部１２が始動する。モータ部１２の駆動回路が形成されると、吸引コイル９の付勢力は無くなるが、可動接点部６は引き続き保持コイル１０によって接合位置に保持される。
【００２０】
このように構成されたスタータ用マグネットスイッチにおいては、第２の固定接点４と吸引コイル９の接続端子とを接続するコネクタ１０７が、冷却フィン１０７ｄを備えているので、第２の固定接点４が冷却され、モールドキャップ２の熱による変形を抑制することができる。また、コネクタ１０７と冷却フィン１０７ｄは一体に成形されているので、部品点数が増えることがない。さらにまた、冷却フィン１０７ｄは、モールドキャップ２の凹部に設けられ、座金４ｂより外方に突出していないので、第２の固定接点４に接続されるケーブルに干渉することがなく、ケーブルの配置の自由度を損なうことがない。
【００２１】
尚、冷却フィン１０７ａの形状は、襞状に限らず、例えば多数の突起であっても良い。また、コネクタ１０７の材料においては、アルミニウム合金に限らず熱伝導性の良いものであれば良い。
【００２２】
【発明の効果】
請求項１のスタータ用マグネットスイッチにおいては、樹脂製のモールドキャップがケースに係合されて外装を成す容器と、容器の一側にモールドキャップの盛り上がり部を貫通して設けられ、バッテリーと電気的に接続される第１の固定接点と、容器の一側にモールドキャップの盛り上がり部を貫通して設けられ、外部のモータ部と電気的に接続される第２の固定接点と、容器内に移動可能に配設され、第１の固定接点と第２の固定接点に接合し両者を電気的に接続する接合位置と、第１および第２の固定接点から離れた離間位置との間を移動する可動接点部と、容器内に配設され、励磁された時に可動接点部を接合位置側に付勢するコイルと、容器と可動接点部との間に縮設され、可動接点部を離間位置側に付勢する弾性体と、容器の外周に設けられ、第２の固定接点とコイルの容器の外周に延出された接続端子とを電気的に接続し、始動スイッチにより開閉されるコイルの励磁回路の一部を構成するコネクタを有し、コネクタは、容器の外方に突出する冷却フィンを備え、該冷却フィンが第２の固定接点のモールドキャップから延出する外部突出部の基部より外方に突出しないようにモールドキャップの盛り上がり部の周囲に設けられている。そのため、第２の固定接点が冷却され、容器の熱による変形を抑制することができる。また、第２の固定接点に接続されるケーブルに干渉することがなく、ケーブルの配置の自由度を損なうことがない。さらに、外部の機器にも干渉することがない。
【００２３】
請求項２のスタータ用マグネットスイッチにおいては、コネクタと冷却フィンは一体に成型されて作製されている。そのため、部品点数が増えることがなく、組立作業性を損なうことがない。
【００２４】
請求項３のスタータ用マグネットスイッチにおいては、コネクタおよび冷却フィンはアルミニウム合金で作製されている。そのため、冷却能力が向上する。
【図面の簡単な説明】
【図１】本発明のスタータ用マグネットスイッチの一部を断面とする正面図である。
【図２】本発明のスタータ用マグネットスイッチの上面図である。
【図３】本発明のスタータ用マグネットスイッチの固定接点付近の側面図である。
【図４】本発明のスタータ用マグネットスイッチの周辺の電気回路図である。
【図５】従来のスタータ用マグネットスイッチの一部を断面とする正面図である。
【図６】従来のスタータ用マグネットスイッチの上面図である。
【図７】従来のスタータ用マグネットスイッチの固定接点付近の側面図である。
【図８】従来のスタータ用マグネットスイッチの周辺の電気回路図である。
【符号の説明】
１  ケース（容器）、２  モールドキャップ（容器）、３  第１の固定接点、４  第２の固定接点、６  可動接点部、９  吸引コイル（コイル）、１５  戻しばね（弾性体）、１０７  コネクタ、１０７ｄ  冷却フィン。
【図１】
0003583581.tif 000002
【図２】
0003583581.tif 000003
【図３】
0003583581.tif 000004
【図４】
0003583581.tif 000005
【図５】
0003583581.tif 000006
【図６】
0003583581.tif 000007
【図７】
0003583581.tif 000008
【図８】
0003583581.tif 000009